(57)【要約】      （修正有）【課題】取扱が簡単で、臭気が洩れ難く、廃棄処理が容易な携帯便器を提供する。【解決手段】収納容器１中に尿吸収材２を内包した尿吸収材収納袋３と、収納容器１中に不透水な加工紙で筒状部材を平面状に展伸した状態で展開可能に蛇腹状に折り畳まれてなる尿通路部材５を収納した。尿通路部材５は一端が尿吸収材収納袋３と連通し、他端に尿受け部４を有する。尿通路部材５の長手方向に沿って尿通路部材５の内側に紐状部材７を設けてある。尿通路部材５の長手方向の両縁の中間に長手方向に折り目を設けてある。男性用尿受け部は４は中空菱形であって折り畳み可能である。蛇腹状に折り畳んであるので、展伸、収納が簡単で取り扱い易い。尿吸収材と外部は蛇腹の折り目で遮断状態となるので使用後臭うことはない。紙製に出来廃棄焼却は容易である。【選択図】図１
0003171742.tif 000002
【実用新案登録請求の範囲】
【請求項１】
収納容器中に尿吸収材を内包した尿吸収材収納袋と収納容器中に収納され展伸して尿吸収材収納袋と一端側で連通し他端側に尿受け部を有する尿通路部材と、を有する携帯便器において、
尿通路部材は不透水な加工紙で筒状部材を平面状に展伸した状態で展開可能に蛇腹状に折り畳まれてなることを特徴とする携帯便器。
【請求項２】
尿通路部材の長手方向に沿って該尿路部材の内側に紐状部材を設けたことを特徴とする請求項１に記載の携帯便器。
【請求項３】
尿通路部材の折り畳みは前記平面状に展伸した状態で長手方向の両縁の中間に長手方向の折り目を有することを特徴とする請求項１又は２に記載の携帯便器。
【請求項４】
男性用尿受け部は中空菱形であって、平面状に折り畳み可能であることを特徴とする携帯便器。
【考案の詳細な説明】
【技術分野】
【０００１】
この考案は、例えば自動車用として用いられる携帯便器に関する。
【背景技術】
【０００２】
自動車内等で用いられる携帯便器については多数の提案がある。例えば特許庁電子図書館（ＩＰＤＬ）でＩＰＣ分類  Ａ４７Ｋ  １１／０６  照会すると７２９件ヒットする。これを大別すると、尿受けと尿溜が近接して一体であるものと、尿受けと尿溜が離れていて尿受けと尿溜間を尿通路部材で結ぶものがある。特許文献１、２記載の考案は後者に属する。
【０００３】
特許文献１に記載の考案は伸縮自在な蛇腹筒を有する。蛇腹筒は縮めても長さを短くすることは出来ても短くした長さが比較的大きく、特許文献１によれば容器体１の高さ方向の大部の空間を占めている。また、特許文献１に記載の「自動車の進行による小便水上面のゆれ」（特許文献１第２頁第１６行から第１７行）のように小便水が容器中でゆれる。従って容器体１は開閉蓋８で密封されねばならない。そして、そのままでは廃棄物として処理出来ない。
【０００４】
特許文献２に記載の考案は自動車の床から座席までの高さよりも長い変形自在な素材であり、内部に尿吸収体を有し上端開口部には体に密着する受け口を設けた尿受け袋を開示している。尿受け袋は成形品である。
【先行技術文献】
【特許文献】
【０００５】
特許文献1    実開昭５４−１６２４５０号公報（全文）
特許文献２    実開平４−３０９３号公報（全文）
【非特許文献】
【０００６】
なし
【考案の概要】
【考案が解決しようとする課題】
【０００７】
特許文献１に記載の考案によれば、容器中の小便水は自動車の進行によりゆれるので、使用後も容器は密封しなければならないし、液体のまま尿が残っているので廃棄処理も難しい。特許文献２に記載の考案によれば、尿受け袋が成形品であるから、一旦展伸してしまうと、減容するのが難しく、無理に減容すると尿受け袋内の減容につれて内部の空気と共に少なくとも尿の臭気が受け口から放出される。また、成形品であるから廃棄する際に焼却することは好ましくない。
尿受けと尿溜めが一体である携帯便器は、使用時に手でかかえるが落としてしまう恐れがある。
【０００８】
この考案は、展伸し格納する際に内部から尿受けを通じて臭気が放出されず、且つ容易に元の形に格納可能な尿通路部材を有する携帯便器を提供することを目的とする。
この考案は、廃棄処理の容易な携帯便器を提供することを目的とする。
【課題を解決するための手段】
【０００９】
本願第１の考案は収納容器中に尿吸収材を内包した尿吸収材収納袋と収納容器中に収納され展伸して尿吸収材収納袋と一端側で連通し他端側に尿受け部を有する尿通路部材と、を有する携帯便器において、
尿通路部材は不透水な加工紙で筒状部材を平面状に展伸した状態で展開可能に蛇腹状に折り畳まれてなることを特徴とする携帯便器である。
本願第２の考案は尿通路部材の長手方向に沿って該尿路部材の内側に紐状部材を設けたことを特徴とする第１の考案に記載の携帯便器である。
【００１０】
本願第３の考案は尿通路部材の折り畳みは前記平面状に展伸した状態で長手方向の両縁の中間に長手方向の折り目を有することを特徴とする第１又は第２の考案に記載の携帯便器である。
本願第４の考案は男性用尿受け部は中空菱形であって、平面状に折り畳み可能であることを特徴とする携帯便器である。
【考案の効果】
【００１１】
本出願の第１の考案によれば、尿通路部材は加工紙製で展伸、折り畳みが自在なので、使用状態にするのが簡単であると共に元通りに折り畳むのが容易である。
【００１２】
尿路部材を収納容器に収納されると、尿通路部材は蛇腹状に折り畳まれているので複数の折り目があるため尿吸収材収納袋と外部は確実に連通を遮断される。従って、使用後尿通路部材を収納容器に収納した後は、尿吸収材に吸収された尿から外部に臭いが洩れない。尿通路部材を折り畳む際、その内容積は小さく、蛇腹の折り目における尿通路部材の折り曲げた角度が小さくなるので、尿通路部材中の空気はわずかしか外部へ出ないので臭うのが抑制される。紙製であるので廃棄処理が簡単である。
本出願の第２の考案によれば、展伸した尿路部材中の尿路を確保できる。
本出願の第３の考案によれば、展伸した尿路部材の対向壁面が接触し難く尿路を確保できる。
【００１３】
本出願の第４の考案によれば、尿受け部を使用状態にするのは簡単であり、平面状に畳めるので収納容器中に占める容積は小さく、収納容器を格別に大きくしなくてもよい。
【図面の簡単な説明】
【００１４】
【図１】この考案の実施例の縦断面図である。
【図２】携帯便器の使用状態を示す斜視図である。
【図３】尿通路部材の材料の平面図である。
【図４】尿通路部材の製作工程を示す平面図である。
【図５】図４のＡ−Ａ拡大断面図である。
【図６】尿通路部材の製作工程を示す断面図である。
【図７】尿通路部材の製作工程を示す断面図である。
【図８】尿通路部材の尿受け部の製作工程を示す斜視図である。
【図９】尿受け部の横断面図である。
【図１０】携帯便器の蓋を開けた状態の斜視図である。
【図１１】尿受け部の正面図である。
【実施例】
【００１５】
以下、この考案の実施例を図面に従って説明する。
（全体構成）
図１はこの考案の実施例の縦断面図である。
【００１６】
携帯便器は、収納容器１中に尿吸収材２を内包した尿吸収材収納袋３と収納容器１中に折り畳んで収納され展伸して尿吸収材収納袋３と一端側で連通し、他端側に尿受け部４を有する尿通路部材５を有する。尿通路部材５は不透水な加工紙で筒状部材を平面状に展伸した状態で展開可能に蛇腹状に折り畳まれてなる。
図２は携帯便器の使用状態を示す斜視図である。
（収納容器）
【００１７】
収納容器１は中空直方体で上面は片開きの蓋１ｂとなっている。収納容器１の本体１ａは平面図形方形の容器状であり、開口した上面は蓋１ｂを開閉される。蓋１ｂは本体１ａの上縁の１つとヒンジ１ｃで結合され本体１ａと蓋１ｂは一体物である。ヒンジ１ｃに直交する本体１ａの上縁は図２に示すように容器本体１ａの内側へ折曲した折り込み１ｄとなっている。ヒンジ１ｃと対向する本体１ａの上縁１ｅには切り欠き１ｆが設けてある。
蓋１ｂの端部には本体１ａの切り欠き１ｆを設けた上縁１ｅの内側に丁度嵌入する折り込み部１ｂ１が設けてある。
【００１８】
収納容器１はダンボール紙製である。収納容器１は平面状に切断された各面がつながった状態から立体的に構成した公知のダンボール紙製である。この収納容器１は縦、横が夫々１１５ミリメートル、高さが５０から７５ミリメートルである。
（尿吸収材）
【００１９】
尿吸収材２は高吸収性樹脂サンウエット（登録商標）を用いた。この尿吸収材は自重の約１０００倍もの水を吸い、吸った水は容易に放さないという機能を持つ高分子製品である。
【００２０】
尿吸収材２は収納容器１の上部を残した範囲にゆるく入る大きさで直方体の固体、または粒体、もしくは紙を積層したものである。本例では紙おむつを積層してある。
（尿吸収材収納袋）
【００２１】
尿吸収材収納袋３は尿吸収材２がゆるく入る中空直方体で上部は穴６を通じて尿通路部材５内に連通している。穴６は菱形の形状をしている。尿吸収材収納袋３は穴６を除いて密封されている。尿吸収材収納袋３は主材は紙製で内部は不透水膜例えば樹脂コーテイングが設けられた加工紙である。
【００２２】
尿吸収材収納袋３内の上部には天板８が配設されている。天板８は尿吸収材収納袋３に貼り付けてもよい。天板８は段ボール紙製である。天板８には穴６に合せて穴８ａが設けてある。
（尿通路部材）
【００２３】
尿通路部材５は穴６の縁において尿吸収材収納袋３に接着され、穴６の縁で尿吸収材収納袋３に堅紙のフランジ３ａを貼り付けて尿通路部材５と尿吸収材収納袋３の密封状態とした結合部の補強をしてある。これらによって尿通路部材５と尿吸収材収納袋３間は外部に対して密封状態で連通している。
【００２４】
尿通路部材５は中空の円筒の直径を亘る部分の母線を折り目として折り畳んで平面状とし、これを蛇腹状に折り畳んである（製作方法は後述）。本例では該中空の筒は直径が穴６の位置では小さく、尿受け部４では大きく折り畳んだ状態で梯形である。本例では上記蛇腹の折り目５ａ７は５個所である。折り目から折り目までの長さはほぼ等しい。
【００２５】
尿通路部材５（中間製品も同符号５を用いる）の構成をその製作方法で説明する。尿通路部材５として用いられる紙は一面（内面）が不透水の樹脂コーテイングされている加工紙である（尿吸収材収納袋３と同じ加工紙）。
【００２６】
図３に示すように底辺５ａ４で高さが大きく、左右両辺が等しい長さの梯形に上記加工紙は切断される（素材５ａ）。素材５ａの長手方向の縁５ａ１に一定幅で水に溶けない接着剤を塗布する。この接着剤を塗布する面は樹脂コーテイングした面である。素材５ａの図３において左右の中間部で素材５ａの長手方向に沿って底辺５ａ４、上辺５ａ５から突き出すように紐状部材７を置く。
【００２７】
次に図３において左右両辺５ａ６のなす角を二等分する線を折り目５ａ２とし紐状部材７を内側にして縁５ａ１，５ａ１を合せて接着すると、図４に示すようになる。紐状部材７は両端を除いて尿通路部材５内に納まり、見えなくなる。図４のＡ−Ａ拡大断面図は図５である。
【００２８】
図４においてのり付けした縁５ａ１とのりのない部分の境界線５ａ１１と折り目５ａ２のなす角を２等分した尿通路部材５上の線５ａ３，５ａ３部分を矢印イの方向に図５のように遠ざけると図６に示すようになる。矢印イに直交する矢印ロの方向に折り目５ａ２、縁５ａ１を近づけて、図７に示すように線５ａ３，５ａ３上に折り目５ａ３０,５ａ３０を形成する。図８に示すように縁５ａ１を境界線５ａ１１で折曲して折り目５ａ１１０として縁５ａ１を尿通路部材５の面に重ねる。
このようにした上、尿通路部材５の大端（素材５ａの底辺５ａ４）側から外部へ出ている紐状部材７を大端側の縁で折り返して、縁５ａ１に重ねておく。
【００２９】
図９に示すように尿受け部４において縁５ａ１と紐状部材７を尿通路部材５内へ変位して突出させ、尿通路部材５の外部への突出物をなくしておく。その上で、図９において上下両面に夫々堅紙の補強材４ａを尿受け部４の位置において尿通路部材５の外側に接着剤で貼り付ける。補強材４ａは図９において左右の二等分位置において予め外方へ折曲可能に折り目４ａ１，４ａ１が設けてある。折り目４ａ１は尿通路部材５の折り目５ａ２と一致する位置にある。
図９の状態で尿通路部材５を図１、図１０に示すように蛇腹状に折曲する。
【００３０】
紐状部材７は燃糸、編糸、たこ糸等で直径２ミリメートル程度である。紐状部材７は尿通路部材５の尿受け部４側は縁５ａ１の外側に重ねて尿通路部材５に接着してある。紐状部材７は尿通路部材５内においては尿通路部材５とは接着されていない。
尿受け部４は男性の尿器が入る長さである。
（使用方法）
【００３１】
図１に示すように収納容器１中に尿通路部材５は収納されている。使用に際しては切欠き１ｆを通じて指先で折り込み部１ｂ１を持ち上げ蓋１ｂを開くと、図１０に示すように尿通路部材５が見える。尿受け部４を持ち上げ、図２に示すように尿通路部材５を縮めた蛇腹状から展伸状態にする。ここで、展伸状態とは蛇腹の折り目５ａ７を角の頂点として尿通路部材５のなす角θが１８０度でなく、１８０度より小さく、少なくとも鈍角以上であればよい。ただし、折り目５ａ７と隣接する折り目５ａ７間において、尿通路部材５は収納容器１に向って降るようにして置く。図１１に示すように尿受け部４を偏平な状態から矢印ハの方向に圧して押えて行くと、尿受け部４は中空菱形の使用状態となる。使用に際して例えば、自動車中で用いる場合収納容器１は自動車の床上に置かれる。自動車に乗車する者は座席に座ったままこの携帯便器を用いる。
使用状態の全体図は図２に示されている。
【００３２】
尿受け部４から注入された尿は尿通路部材５中を重力で流下するとき蛇腹の折り目５ａ７となる部分、又は蛇腹の対向壁間がせまくなっている場合でも通常は紐状部材７、折り目５ａ２等がなくとも、尿通路部材５を構成する加工紙間は隙間があるので尿は尿通路部材５が尿吸収材収納袋３に向って流れる。
【００３３】
本例では、更に紐７を尿通路部材５の長手方向に沿って設けてあるので尿受け部４から尿吸収材収納袋３までの尿通路は確保される。更に尿通路部材５の長手方向に沿う折り目５ａ２と縁５ａ１と素材５ａの境界線５ａ１１が折り目５ａ１１０となっているので、尿通路部材５中には尿の通路が確保される。
尿通路部材５中を流れて穴６、８ａを通じて尿吸収材収納袋３に流入した尿は尿吸収材２に吸収される。
【００３４】
放尿後は尿通路部材５を蛇腹状に折り畳み、尿受け部４を偏平状態として収納容器１中に納める。このとき、蛇腹の折り目５ａ７において折り目５ａ７を頂点とする尿通路部材５のなす角は零度に近づくので尿通路部材５は遮断状態となる。そして尿通路部材５中の容積は小さいので尿受け部４を通じて外部へ出る空気は少なくて流速は弱く臭うことは殆どない。その後蓋１ｂを閉める。この状態では、尿吸収材に尿は吸収されており、収納容器１を転倒させても、尿が外に洩れたり、臭いが外部へ出ることはない。
【産業上の利用可能性】
【００３５】
この考案の携帯便器は、自動車の運転席でも使える。ベッドや椅子に座って使える。そこで、尿意が生じた際交通渋滞の自動車中の人、高齢者・障害者など夜トイレに行くのが大変な方、災害緊急時の被災者、海や湖の舟の上でトイレに困った人、登山、ハイキング、キャンプなどでトイレに困った人等は携行が軽くて小さなこの考案の携帯便器があれば悩みは解決できる。
使用後は紙製品であるので燃えるごみとして処理できる。
実施例は尿受け部を男性用としたが、尿受け部を女性用として構成すれば、他の構成はそのままで女性用携帯便器となる。
【符号の説明】
【００３６】
１…収納容器  １ａ…本体  １ｂ…蓋  １ｂ１…折り込み部  １ｃ…ヒンジ  １ｄ…折り込み  １ｅ…上縁  １ｆ…切り欠き  
２…尿吸収材  
３…尿吸収材収納袋  ３ａ…フランジ
４…尿受け部  ４ａ…補強材  ４ａ１…折り目
５…尿通路部材  ５ａ…素材  ５ａ１…縁  ５ａ２…折り目  ５ａ３…線  ５ａ４…底辺  ５ａ６…左右両辺  ５ａ７…折り目  ５ａ１１…境界線  ５ａ３０，５ａ１１０…折り目
６…穴
７…紐状部材
８…天板  ８ａ…穴
【図１】
0003171742.tif 000003
【図２】
0003171742.tif 000004
【図３】
0003171742.tif 000005
【図４】
0003171742.tif 000006
【図５】
0003171742.tif 000007
【図６】
0003171742.tif 000008
【図７】
0003171742.tif 000009
【図８】
0003171742.tif 000010
【図９】
0003171742.tif 000011
【図１０】
0003171742.tif 000012
【図１１】
0003171742.tif 000013
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
収納容器中に尿吸収材を内包した尿吸収材収納袋と収納容器中に収納され展伸して尿吸収材収納袋と一端側で連通し他端側に尿受け部を有する尿通路部材と、を有する携帯便器において、
尿通路部材は不透水な加工紙で筒状部材を平面状に展伸した状態で展開可能に蛇腹状に折り畳まれてなることを特徴とする携帯便器。
【請求項２】
尿通路部材の長手方向に沿って該尿路部材の内側に紐状部材を設けたことを特徴とする請求項１に記載の携帯便器。
【請求項３】
尿通路部材の折り畳みは前記平面状に展伸した状態で長手方向の両縁の中間に長手方向の折り目を有することを特徴とする請求項１又は２に記載の携帯便器。
【請求項４】
男性用尿受け部は中空菱形であって、平面状に折り畳み可能であることを特徴とする請求項１に記載の携帯便器。
【手続補正２】
【補正対象書類名】明細書
【補正対象項目名】００１０
【補正方法】変更
【補正の内容】
【００１０】
本願第３の考案は尿通路部材の折り畳みは前記平面状に展伸した状態で長手方向の両縁の中間に長手方向の折り目を有することを特徴とする第１又は第２の考案に記載の携帯便器である。
本願第４の考案は男性用尿受け部は中空菱形であって、平面状に折り畳み可能であることを特徴とする第１の考案に記載の携帯便器である。
【手続補正書】
【提出日】平成23年9月15日(2011.9.15)
【手続補正１】
【補正対象書類名】実用新案登録請求の範囲
【補正対象項目名】請求項４
【補正方法】変更
【補正の内容】
【請求項４】
前記尿受け部は中空菱形であって、平面状に折り畳み可能であることを特徴とする請求項１に記載の携帯便器。
【手続補正２】
【補正対象書類名】明細書
【補正対象項目名】００１０
【補正方法】変更
【補正の内容】
【００１０】
本願第３の考案は尿通路部材の折り畳みは前記平面状に展伸した状態で長手方向の両縁の中間に長手方向の折り目を有することを特徴とする第１又は第２の考案に記載の携帯便器である。
本願第４の考案は前記尿受け部は中空菱形であって、平面状に折り畳み可能であることを特徴とする第１の考案に記載の携帯便器である。